(57)【要約】【課題】通水路に汚れが付着するのを抑制することの可能な水処理装置および当該水処理装置の通水路を得る。【解決手段】原水導入口２と浄水吐出口３とを接続する通水路１を備えた水処理装置１０、１０Ａであって、通水路１としての吐水管１ｂに、当該吐水管１ｂ内を流れる水に乱流を発生させる凹凸面（乱流発生手段）９を設ける。【選択図】図１
2011092799.tif 000002
【特許請求の範囲】
【請求項１】
原水導入口と浄水吐出口とを接続する通水路を備えた水処理装置であって、
前記通水路に、当該通水路内を流れる水に乱流を発生させる乱流発生手段を設けたことを特徴とする水処理装置。
【請求項２】
前記乱流発生手段は、前記通水路の内壁部に形成された凹凸面であることを特徴とする請求項１に記載の水処理装置。
【請求項３】
前記凹凸面は、前記通水路の長手方向に沿ってその凹部と凸部とが交互となるように前記内壁部に加工されていることを特徴とする請求項２に記載の水処理装置。
【請求項４】
前記凹凸面の凹部は、前記内壁部の周方向に沿って螺旋状に形成されていることを特徴とする請求項３に記載の水処理装置。
【請求項５】
前記凹凸面の凸部には、滞留抑制部が形成されていることを特徴とする請求項２〜４のうち何れか１項に記載の水処理装置。
【請求項６】
前記乱流発生手段は、前記通水路の内部に別部材で取り付けられる乱流発生体であることを特徴とする請求項１に記載の水処理装置。
【請求項７】
前記乱流発生体は、前記通水路の長手方向に沿って延在する軸部と、当該軸部に突設される複数の突部とを備えることを特徴とする請求項６に記載の水処理装置。
【請求項８】
前記軸部を、前記複数の突部の重心から偏心させて配置させたことを特徴とする請求項７に記載の水処理装置。
【請求項９】
原水に含まれる不純物を除去する浄化部を備えており、
前記乱流発生手段を、前記浄化部と前記浄水吐出口とを接続する通水路に設けたことを特徴とする請求項１〜８のうち何れか１項に記載の水処理装置。
【請求項１０】
請求項１〜９のうち何れか１項に記載の前記乱流発生手段を備えることを特徴とする水処理装置の通水路。
【発明の詳細な説明】
【技術分野】
【０００１】
本発明は、水処理装置および当該水処理装置の通水路に関する。
【背景技術】
【０００２】
従来の水処理装置として、原水に含まれる不純物を除去する処理部を備え、この処理部と浄水を吐出する吐水口とを接続する通水路（吐水管）を、殺菌或いは抗菌機能を有する素材で形成したものが知られている（例えば、特許文献１参照）。
【０００３】
この種の構造では、止水時に吐水口から雑菌を含む空気が浸入したり、処理部の吸着能力の低下などから通水路の内壁部に雑菌が堆積してしまう恐れがあるが、通水路を上述の素材で形成することによって、当該通水路の汚染を抑制することができる。
【先行技術文献】
【特許文献】
【０００４】
【特許文献１】特開平９−１４１２７２号公報
【発明の概要】
【発明が解決しようとする課題】
【０００５】
しかしながら、上記従来の水処理装置にあっては、通水路の汚れを殺菌することはできるが、通水路に汚れが付着するのを抑制することはできない。
【０００６】
そこで、本発明は、通水路に汚れが付着するのを抑制することの可能な水処理装置および当該水処理装置の通水路を得ることを目的とする。
【課題を解決するための手段】
【０００７】
請求項１の発明にあっては、原水導入口と浄水吐出口とを接続する通水路を備えた水処理装置であって、前記通水路に、当該通水路内を流れる水に乱流を発生させる乱流発生手段を設けたことを特徴とする。
【０００８】
請求項２の発明にあっては、前記乱流発生手段は、前記通水路の内壁部に形成された凹凸面であることを特徴とする。
【０００９】
請求項３の発明にあっては、前記凹凸面は、前記通水路の長手方向に沿ってその凹部と凸部とが交互となるように前記内壁部に加工されていることを特徴とする。
【００１０】
請求項４の発明にあっては、前記凹凸面の凹部は、前記内壁部の周方向に沿って螺旋状に形成されていることを特徴とする。
【００１１】
請求項５の発明にあっては、前記凹凸面の凸部には、滞留抑制部が形成されていることを特徴とする。
【００１２】
請求項６の発明にあっては、前記乱流発生手段は、前記通水路の内部に別部材で取り付けられる乱流発生体であることを特徴とする。
【００１３】
請求項７の発明にあっては、前記乱流発生体は、前記通水路の長手方向に沿って延在する軸部と、当該軸部に突設される複数の突部とを備えることを特徴とする。
【００１４】
請求項８の発明にあっては、前記軸部を、前記複数の突部の重心から偏心させて配置させたことを特徴とする。
【００１５】
請求項９の発明にあっては、原水に含まれる不純物を除去する浄化部を備えており、前記乱流発生手段を、前記浄化部と前記浄水吐出口とを接続する通水路に設けたことを特徴とする。
【００１６】
請求項１０の発明にあっては、請求項１〜９のうち何れか１項に記載の前記乱流発生手段を備えることを特徴とする水処理装置の通水路である。
【発明の効果】
【００１７】
請求項１の発明によれば、通水路に当該通水路内を流れる水に乱流を発生させる乱流発生手段を設けたため、この乱流発生手段の設けられた通水路に水を流すことによって乱流を発生させることができるようになり、通水路の内壁部に汚れが付着するのを抑制して、雑菌が内壁部に堆積されるのを抑制することができる。
【００１８】
請求項２の発明によれば、乱流発生手段が通水路の内壁部に形成された凹凸面であるため、止水時に浄水吐水口から雑菌を含む空気が浸入して通水路の内壁部に汚れが付着しても、その付着した汚れを乱流で剥離しやすくすることができるため、通水路に雑菌が堆積されるのをより抑制することができる。
【００１９】
請求項３の発明によれば、凹凸面が通水路の長手方向に沿ってその凹部と凸部とが交互となるように内壁部に加工されているため、長手方向に交互に配置される凹凸面によって効率よく乱流を発生させることができる。
【００２０】
請求項４の発明によれば、凹凸面の凹部が内壁部の周方向に沿って螺旋状に形成されているため、凹凸面の凹部と凸部とが不規則に加工される場合と比べて凹凸面を加工し易く、乱流発生手段としての凹凸面を備えた通水路を比較的簡単に製造することができるという利点がある。
【００２１】
請求項５の発明によれば、凹凸面の凸部には、滞留抑制部が形成されているため、止水時に通水路に滞留水が発生してもその滞留水を重力によって凹部の外側に流すことができるようになり、残留する滞留水によって凹部が腐敗したり、滞留水に含まれる汚れが凹部に付着するのを抑制できる。
【００２２】
請求項６の発明によれば、乱流発生手段は通水路の内部に別部材で取り付けられる乱流発生体であるため、請求項２と同様の作用効果を得ることができるとともに、既存の通水路に乱流発生手段としての乱流発生体を設置することができるという利点がある。
【００２３】
請求項７の発明によれば、乱流発生体は通水路の長手方向に沿って延在する軸部と、この軸部に突設される複数の突部とを備えるため、通水路を流れる水はこの複数の突部にぶつかりながら下流側に流れることによって、効率よく乱流を発生させることができる。
【００２４】
請求項８の発明によれば、乱流発生体の軸部を、複数の突部の重心から偏心させて配置させたため、軸部が複数の突部の重心を接続する構成と比べて、弱い力で大きく乱流発生体を揺動させることができるとともに、乱流発生体の動作を固定化せずに自由に動作させることができる。このように、乱流発生体を効果的に揺動させることにより、通水路の内部に効率よく乱流を発生させることができる。
【００２５】
請求項９の発明によれば、乱流発生手段を浄化部と浄水吐出口とを接続する通水路に設けたため、止水時に通水路に残留した滞留水が浄化部に逆流しても浄化部が雑菌で汚染されるようなことを抑制することができる。
【００２６】
請求項１０の発明によれば、請求項１〜９のうち何れか１項に記載の作用効果を奏する水処理装置の通水路を得ることができる。
【図面の簡単な説明】
【００２７】
【図１】本発明の第１実施形態にかかる水処理装置の構成図である。
【図２】本発明の第１実施形態にかかる水処理装置の通水路を示した図であり、（ａ）は当該通水路の長手方向における断面図、（ｂ）は（ａ）のＡ−Ａ断面図である。
【図３】本発明の第１実施形態にかかる通水路の第１変形例を示した図であり、（ａ）は当該通水路の長手方向における断面図、（ｂ）は（ａ）のＢ−Ｂ断面図である。
【図４】本発明の第１実施形態にかかる通水路の第２変形例を示した図であり、（ａ）は当該通水路の長手方向における断面図、（ｂ）は（ａ）のＣ−Ｃ断面図である。
【図５】本発明の第１実施形態にかかる通水路の第３変形例を示した図であり、（ａ）は当該通水路の長手方向における断面図、（ｂ）は（ａ）のＤ−Ｄ断面図である。
【図６】本発明の第２実施形態にかかる水処理装置の通水路を示した図であり、（ａ）は当該通水路の長手方向における断面図、（ｂ）は（ａ）のＥ−Ｅ断面図である。
【図７】本発明の第２実施形態にかかる乱流発生体の第１変形例を示した図であり、（ａ）は通水路の長手方向における断面図、（ｂ）は（ａ）のＦ−Ｆ断面図である。
【図８】本発明の第２実施形態にかかる乱流発生体の第２変形例を示した図であり、（ａ）は通水路の長手方向における断面図、（ｂ）は（ａ）のＧ−Ｇ断面図である。
【図９】本発明の第２実施形態にかかる乱流発生体の第３変形例を示した図であり、（ａ）は通水路の長手方向における断面図、（ｂ）は（ａ）のＨ−Ｈ断面図である。
【発明を実施するための形態】
【００２８】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２９】
［第１実施形態］
図１および図２は、本発明にかかる水処理装置の第１実施形態を示した図である。
【００３０】
図１に示すように、本実施形態の水処理装置１０は、家庭用の水道配管６に接続可能な浄水装置として構成されており、浄化部４を内部に有した本体部５と、原水導入口２と前記浄化部４と浄水吐出口３とを接続する通水路１と、を備えて構成されている。
【００３１】
原水導入口２は、水道配管６に設けられた分岐部７に接続されており、分岐部７を介して水処理装置１０に導水された水を浄水として提供することができるとともに、分岐部７を通過して水処理装置１０に導水されない水は、そのままの水道水（原水）として水道配管６の蛇口（図示せぬ）から活用することができる。
【００３２】
浄化部４は、本実施形態では種類の異なる３種類のカートリッジを備えており、通水路１の上流側から、プレフィルターを内部に設けたプレフィルターカートリッジ４ａ、活性炭を内部に充填した活性炭カートリッジ４ｂ、中空糸膜を内部に設けた中空糸膜カートリッジ４ｃが配置されている。
【００３３】
活性炭カートリッジ４ｂは、原水に含まれるカルキなどの有害成分を吸着除去して水を浄化するとともに、中空糸膜カートリッジ４ｃは、活性炭カートリッジ４ｂで吸着除去しきれなかった異物を濾過して水をさらに浄化する。一方、プレフィルターカートリッジ４ａは、これら活性炭および中空糸膜カートリッジ４ｂ、４ｃの前に設けられることを前提としたもので、原水に含まれる異物を予め除去することにより、これら活性炭および中空糸膜カートリッジ４ｂ、４ｃの負担を軽減するものである。つまり、活性炭および中空糸膜カートリッジ４ｂ、４ｃで補足される異物の量を減少させて、これら活性炭および中空糸膜カートリッジ４ｂ、４ｃの消耗期限を延長することができる。なお、プレフィルターカートリッジ４ａには、不織布や濾紙などによって形成された複数枚のプレフィルターが重ねられて内部に配置されている。
【００３４】
ここで、本実施形態では、上述の浄化部４の後流側、即ち浄化部４（中空糸膜カートリッジ４ｃ）と浄水吐出口３とを接続する通水路１としての吐水管１ｂに、当該吐水管１ｂ内を流れる水に乱流を発生させる乱流発生手段を設けている。
【００３５】
具体的には、図２（ａ）に示すように、本実施形態では吐水管１ｂの内壁部８に、乱流発生手段としての凹凸面９が形成されており、この凹凸面９は、吐水管１ｂの長手方向に沿ってその凹部９ａと凸部９ｂとが交互となるように内壁部８に加工されている。
【００３６】
すなわち、浄化部４を通過して吐水管１ｂの長手方向に沿って流れる水は、凹凸面９の複数の凸部９ｂにぶつかりながら下流側に流れることとなり、かかる構成では流速によって異なるが例えばカルマン渦のような乱流を発生させることができる。
【００３７】
また、図２（ｂ）に示すように、凹凸面９の複数の凸部９ｂには、滞留抑制部としての切欠部１１が形成されている。本実施形態では、凹凸面９の凸部９ｂが通水路１ｂの内壁部８にリング状に突設されており、この凸部９ｂを歯車状に切り欠くようにして切欠部１１が形成されている。
【００３８】
本実施形態では、水処理装置１０の本体部５から吐水管１ｂが略Ｌ字状に突出して設けられており、この吐水管１ｂの水平部分１５に水流調節弁としての水栓１２が設けられているとともに、吐水管１ｂの水平部分１５の端部から下方に向けて延設された延設部分１６に浄水吐出口３が形成されている。
【００３９】
以上、説明してきたように、本実施形態の水処理装置１０によれば、通水路としての吐水管１ｂに、当該吐水管１ｂ内を流れる水に乱流を発生させる凹凸面（乱流発生手段）９を設けたため、この凹凸面（乱流発生手段）９の形成された吐水管１ｂに水を流すことによって乱流を発生させることができるようになり、吐水管１ｂの内壁部８に汚れが付着するのを抑制して、雑菌が内壁部８に堆積されるのを抑制することができる。
【００４０】
また、本実施形態では、乱流発生手段が吐水管１ｂの内壁部８に形成された凹凸面９であるため、止水時に浄水吐出口３から雑菌を含む空気が浸入して吐水管１ｂの内壁部８に汚れが付着しても、その付着した汚れを乱流で剥離しやすくすることができるため、吐水管１ｂに雑菌が堆積されるのをより抑制することができる。
【００４１】
さらに、本実施形態では、凹凸面９は吐水管１ｂの長手方向に沿ってその凹部９ａと凸部９ｂとが交互となるように内壁部８に加工されているため、長手方向に交互に配置される凹凸面９によって効率よく乱流を発生させることができる。
【００４２】
さらにまた、本実施形態では、凹凸面９の凸部９ｂには、滞留抑制部としての切欠部１１が形成されているため、止水時に吐水管１ｂに滞留水が発生してもその滞留水を重力によって凹部９ａの外側に流すことができるようになり、残留する滞留水によって吐水管１ｂの凹部９ａが腐敗したり、滞留水に含まれる汚れが凹部９ａに付着するのを抑制できる。なお、吐水管１ｂの水平部分１５を傾斜させるようにするとより好ましい。
【００４３】
また、本実施形態では、乱流発生手段としての凹凸面９を浄化部４と浄水吐出口３とを接続する通水路としての吐水管１ｂに設けたため、止水時に吐水管１ｂに残留した滞留水が浄化部４に逆流しても浄化部４が雑菌で汚染されるようなことを抑制することができる。
【００４４】
なお、本実施形態では、凹凸面９の凸部９ｂに滞留抑制部としての切欠部１１を形成したが、本実施形態はこれに限定されず、例えば、滞留抑制部として孔などを凸部９ｂに形成するようにしてもよい。
【００４５】
次に、図３〜図５を参照して、本実施形態にかかる吐水管１ｂの変形例について説明する。なお、以下の各変形例は、吐水管１ｂにおける凹凸面９Ａ〜９Ｃの形状が異なるものであり、その他の構成は同じである。
【００４６】
図３は、本実施形態にかかる吐水管の第１変形例を示した図であり、（ａ）は当該吐水管の長手方向における断面図、（ｂ）は（ａ）のＢ−Ｂ断面図である。
【００４７】
図３に示す第１変形例の吐水管１ｂは、凹凸面９Ａの凹部９ａが内壁部８の周方向に沿って螺旋状に形成されたものである。この凹凸面９Ａとしては、例えば吐水管１ｂの内壁部８にスパイラル加工（ライフリング加工）、即ち螺旋状の雄型を回転させながら吐水管１ｂを押出成形することによって形成することができる。
【００４８】
かかる構成では、凹凸面の凹部と凸部とが不規則に加工される場合と比べて凹凸面９Ａを加工し易いため、乱流発生手段としての凹凸面９Ａを備えた吐水管１ｂを比較的簡単に製造することができるという利点がある。
【００４９】
図４は、本実施形態にかかる吐水管の第２変形例を示した図であり、（ａ）は当該吐水管の長手方向における断面図、（ｂ）は（ａ）のＢ−Ｂ断面図である。
【００５０】
図４に示す第２変形例の吐水管１ｂは、凹凸面９Ｂの凸部９ｂが上側凸部１３と下側凸部１４とを備えており、これら上側凸部１３と下側凸部１４とが吐水管１ｂの長手方向に沿って互い違いに配置されたものである。そして、これら上側および下側凸部１３、１４は、それぞれが吐水管１ｂの中心に向けて半円状に突出している。
【００５１】
図５は、本実施形態にかかる吐水管の第３変形例を示した図であり、（ａ）は当該吐水管の長手方向における断面図、（ｂ）は（ａ）のＢ−Ｂ断面図である。
【００５２】
図５に示す第３変形例の吐水管１ｂは、凹凸面９Ｃが吐水管１ｂの長手方向に沿って波状に形成されたものであり、その緩やかなアーチ状に突設された凸部９ｂとアーチ状に凹設された凹部９ａとが長手方向に交互となるように内壁部８に加工されている。
【００５３】
上記第１〜第３変形例にかかる吐水管１ｂによっても、これら吐水管１ｂの内壁部８に形成された凹凸面９Ａ〜９Ｃによって効果的に乱流を発生させることができるため、吐水管１ｂの内壁部８に汚れが付着するのを抑制して、雑菌が内壁部８に堆積されるのを抑制することができる。
【００５４】
なお、上記第１実施形態、ならびに第２、第３変形例にかかる吐水管１ｂは、例えば長手方向に２分割した形状を金型で成形し、これらを溶着して一体化することによって凹凸面９、９Ｂ、９Ｃを備えた吐水管１ｂを形成することができる。また、これに限定されることなく、例えば凹凸面９、９Ｂを別部材で成形しておいて、後で吐水管１ｂの内部に押し込んだり、吐水管１ｂの外側から圧力を加えて内部を変形させることで凹凸面９Ｃを形成したり、砂型などで凹凸面を形成するようにしてもよい。
【００５５】
［第２実施形態］
次に、本発明の第２実施形態について図面を参照して説明する。図６は、本実施形態にかかる水処理装置の吐水管を示した図である。
【００５６】
本実施形態の水処理装置１０Ａは、上記第１実施形態と同様にして、家庭用の水道配管６に接続可能な浄水装置として構成されるとともに、本体部５内に設けられた浄化部４（中空糸膜カートリッジ４ｃ）と浄水吐出口３とを接続する通水路としての吐水管１ｂに、当該吐水管１ｂ内を流れる水に乱流を発生させる乱流発生手段を設けている。
【００５７】
ここで、本実施形態が上記第１実施形態と主に異なる点は、図６（ａ）に示すように、乱流発生手段を吐水管１ｂの内部に別部材で取り付けられる乱流発生体２０で構成したことにある。
【００５８】
乱流発生体２０は、本実施形態では吐水管１ｂの長手方向に沿って延在する円柱状の軸部２０ａと、この軸部２０ａに突設される同じく円柱状の複数の突部２０ｂとによって構成される。
【００５９】
複数の突部２０ｂは、図６（ｂ）に示すように、軸部２０ａよりも大径に形成されており、これら複数の突部２０ｂと軸部２０ａとを溶着して一体化している。そして、吐水管１ｂを流れる水は、この複数の突部２０ｂにぶつかりながら下流側に流れることによって、乱流を発生させることができる。
【００６０】
さらに、本実施形態では、この複数の突部２０ｂを接続する軸部２０ａを、当該複数の突部２０ｂの重心から偏心させて配置している。かかる構成の乱流発生体２０は、吐水管１ｂの内部に設けられるストッパー、例えばフック（図示せぬ）等に軸部２０ａの一端部を係止して利用することができ、水流によって乱流発生体２０を吐水管１ｂの内部で効果的に揺動させることができる。すなわち、乱流発生体２０の軸部２０ａを複数の突部２０ｂの重心から偏心させることによって、軸部が複数の突部の重心を接続する構成と比べて、弱い力で大きく乱流発生体２０を揺動させることができるとともに、乱流発生体２０の動作を固定化せずに自由に動作させることができる。このように、乱流発生体２０を効果的に揺動させることにより、吐水管１ｂの内部に効率よく乱流を発生させることができる。なお、乱流発生体２０の一端部を係止するフック（図示せぬ）は、吐水管１ｂのＬ字部分１７（図１参照）に設けることができ、例えばそのＬ字部分１７を、吐水管１ｂの水平部分１５と垂直部分１８とを接続する取り外し可能なジョイント部材で構成することによって、そのＬ字部分１７から上流側に向けて乱流発生体２０を垂れ下げたり、下流側に向けて配置させたりすることができる。
【００６１】
以上、説明してきたように、本実施形態の水処理装置１０Ａによれば、通水路としての吐水管１ｂに、当該吐水管１ｂ内を流れる水に乱流を発生させる乱流発生体（乱流発生手段）２０を設けたため、上記第１実施形態と同様に、吐水管１ｂの内壁部８に汚れが付着するのを抑制して、雑菌が内壁部８に堆積されるのを抑制することができる。
【００６２】
また、本実施形態では、この乱流発生手段が、吐水管１ｂの内部に別部材で取り付けられる乱流発生体２０であるため、既存の吐水管１ｂに乱流発生手段としての乱流発生体２０を設置することができるという利点がある。
【００６３】
さらに、本実施形態では、乱流発生体２０は吐水管１ｂの長手方向に沿って延在する軸部２０ａと、この軸部２０ａに突設される複数の突部２０ｂとを備えるため、吐水管１ｂを流れる水はこの複数の突部２０ｂにぶつかりながら下流側に流れることによって、効率よく乱流を発生させることができる。
【００６４】
さらにまた、本実施形態では、乱流発生体２０の軸部２０ａを、複数の突部２０ｂの重心から偏心させて配置したため、軸部が複数の突部の重心を接続する構成と比べて、弱い力で大きく乱流発生体２０を揺動させることができるとともに、乱流発生体２０の動作を固定化せずに自由に動作させることができる。このように、乱流発生体２０を効果的に揺動させることにより、吐水管１ｂの内部に効率よく乱流を発生させることができる。
【００６５】
なお、本実施形態では、乱流発生体２０の一端部をフックによって係止する構成を例示したが、本実施形態はこれに限定されず、例えば乱流発生体２０を回転可能に支持する軸受けを設け、乱流発生体２０を水流によって回転させる構成としたり、乱流発生体２０よりも下流側にメッシュ状のストッパー部材を設けて、乱流発生体２０をせき止める構成としてもよい。
【００６６】
次に、図７〜図９を参照して、本実施形態にかかる乱流発生体２０の変形例について説明する。なお、以下の各変形例は、吐水管１ｂの内部に配置される乱流発生体２０Ａ〜２０Ｃの形状が異なるものであり、その他の構成は同じである。
【００６７】
図７は、本実施形態にかかる乱流発生体の第１変形例を示した図であり、（ａ）は吐水管の長手方向における断面図、（ｂ）は（ａ）のＦ−Ｆ断面図である。
【００６８】
図７に示す第１変形例の乱流発生体２０Ａは、軸部２０ａに突設される突部２０ｂを、当該軸部２０ａの回りを渦巻くようにして螺旋状に接着させたものである。
【００６９】
図８は、本実施形態にかかる乱流発生体の第２変形例を示した図であり、（ａ）は吐水管の長手方向における断面図、（ｂ）は（ａ）のＧ−Ｇ断面図である。
【００７０】
図８に示す第２変形例の乱流発生体２０Ｂは、軸部２０ａに突設される複数の突部２０ｂが上側突部２３と下側突部２４とを備えており、これら上側突部２３と下側突部２４とが軸部２０ａの長手方向に沿って互い違いに配置されたものである。なお、本実施形態では、乱流発生体２０Ｂの軸部２０ａが長板状に形成されており、その軸部２０ａから上側および下側突部２３、２４がそれぞれ上側および下側に向けて矩形状に突設されている。
【００７１】
図９は、本実施形態にかかる乱流発生体の第３変形例を示した図であり、（ａ）は吐水管の長手方向における断面図、（ｂ）は（ａ）のＨ−Ｈ断面図である。
【００７２】
図９に示す第３変形例の乱流発生体２０Ｃは、複数の突部２０ｂを接続する軸部２０ａを、当該複数の突部２０ｂの重心から偏心させて配置させるとともに、隣接もの同士の軸部２０ａの軸位置が重ならないように複数の突部２０ｂを接続したものである。また、本変形例では、突部２０ｂの外周部２０ｄが歯車状に切り欠かれており、この外周部２０ｄに沿って水を通過させることによって乱流を発生させ易くしている。
【００７３】
上記第１〜第３変形例にかかる乱流発生体２０Ａ〜２０Ｃによっても、これら吐水管１ｂの内部に配置される乱流発生体２０Ａ〜２０Ｃによって効果的に乱流を発生させることができるため、吐水管１ｂの内壁部８に汚れが付着するのを抑制して、雑菌が内壁部８に堆積されるのを抑制することができる。
【００７４】
以上、本発明の好適な実施形態について説明したが、本発明は上記実施形態には限定されず、種々の変形が可能である。例えば、上記第１および第２実施形態では、乱流発生手段を、浄化部４と浄水吐出口３とを接続する通水路１としての吐水管１ｂに設けたが、原水導入口２と浄化部４とを接続する導入管１ａに設けてもよいし、浄化部４の複数のカートリッジ４ａ〜４ｃ同士を接続する接続管１ｃに設けてもよい。
【符号の説明】
【００７５】
１    通水路
１ｂ  吐水管（通水路）
２    原水導入口
３    浄水吐出口
４    浄化部
８    内壁部
９、９Ａ〜９Ｃ  凹凸面（乱流発生手段）
９ａ  凹部
９ｂ  凸部
２０、２０Ａ〜２０Ｃ  乱流発生体（乱流発生手段）
２０ａ  軸部
２０ｂ  突部
【図１】
2011092799.tif 000003
【図２】
2011092799.tif 000004
【図３】
2011092799.tif 000005
【図４】
2011092799.tif 000006
【図５】
2011092799.tif 000007
【図６】
2011092799.tif 000008
【図７】
2011092799.tif 000009
【図８】
2011092799.tif 000010
【図９】
2011092799.tif 000011